(57)【特許請求の範囲】
【請求項１】
単相電力変換器を回転座標系で電流制御し、単相交流電力と直流電力との間で電力変換を行う電力変換方法において、
回転座標系に変換した単相電力変換器の入力電流値を用いた電流制御により単相コンバータを制御する電圧制御値を形成し、
前記電圧制御値に回転座標系に変換した単相コンバータの入力電圧分をバイアスし、
当該電圧制御値を用いて単相コンバータを制御することを特徴とする、電力変換方法。
【請求項２】
単相コンバータを回転座標系で電流制御し、単相交流電力を直流電力に変換する電力変換方法において、
単相コンバータへの入力電流値を回転座標系に変換し、当該回転座標系の入力電流値を電流制御して単相コンバータを制御する電圧制御値を形成し、
単相コンバータへの入力電圧分を回転座標系に変換し、
前記電圧制御値に回転座標系に変換した単相コンバータの入力電圧分を加算し、
前記加算した電圧制御値を用いて単相コンバータを制御することを特徴とする、電力変換方法。
【請求項３】
単相交流電力を直流電力に変換する単相コンバータと、
回転座標系において電流制御を行う回転座標系制御部と、
静止座標系の電圧値および電流値を回転座標系に変換する第１の座標変換部と、
回転座標系の電圧値を静止座標系に変換する第２の座標変換部と、
前記単相交流の電圧および電流の検出値の位相を＋９０°又は−９０°シフトする位相シフタとを備え、
前記第１の座標変換部は、単相交流の入力電流値と前記位相シフタによって当該入力電流値を９０°位相シフトした電流値とを入力して回転座標系の電流値に変換し、
前記回転座標系制御部は、前記第１の座標変換部で変換した回転座標系の電流値を電流制御して回転座標系の電圧制御値を形成する電流制御手段と、
前記電圧制御値に、前記単相コンバータに入力する入力電圧分を加算して、入力電圧変動による電流変動を抑制する電流変動抑制手段とを有し、
前記第２の座標変換部は、前記回転座標系制御部が出力する回転座標系の電圧指令値を静止座標系の電圧指令値に変換し、
前記単相コンバータは、前記第２の座標変換部が出力する静止座標系の電圧指令値に基づいて交流電力を直流電力に電力変換することを特徴とする、電力変換装置。
【請求項４】
前記電流変動抑制手段は、前記電流制御手段が出力する電圧制御値に、前記第１の座標変換部で変換した回転座標系の電圧値を加算することを特徴とする、請求項３に記載の電力変換装置。
【請求項５】
前記電流制御手段は、
回転座標系のｑ軸の指令電流を零とし、回転座標系のｄ軸の指令電流を、単相ＰＦＣコンバータの出力電圧と電圧指令値との偏差を零とするＰＩ制御で得た値とするＰＩ制御を行うことを特徴とする、請求項３に記載の電力変換装置。
【請求項６】
前記位相シフタは、オペアンプを用いた９０°進み回路であり、
当該オペアンプの帰還抵抗を、第１のコンデンサと、接続点を第２のコンデンサを介して接地した直列抵抗との並列回路とする構成であり、
前記抵抗およびコンデンサは、当該位相シフタの周波数特性を、所定周波数において所定のゲインを有し、９０°の位相ずれを有する特性とする値であることを特徴とする、請求項３から５の何れか一つに記載の電力変換装置。
【請求項７】
単相交流電力の入力電圧の位相角を検出する位相検出手段を備え、
前記位相検出手段は、前記位相シフタによるローパスフィルタ出力の零点を基準として入力電圧の位相角を検出し、
前記第１の座標変換部および第２の座標変換部は、前記位相検出手段が検出した入力電圧の位相角を演算パラメータとして座標変換を行うことを特徴とする、請求項３から６のいずれか一つに記載の電力変換装置。
【請求項８】
前記単相コンバータは、入力端と出力端との間に、自己消弧形素子とダイオードとを並列接続したスイッチ素子をブリッジ接続してなる単相ブリッジ回路であり、
前記各スイッチ素子を前記電圧指令値に従って開閉制御することにより交流電力を直流電力に電力変換することを特徴とする、請求項３から７のいずれか一つに記載の電力変換装置。
【発明の詳細な説明】
【技術分野】
【０００１】
本発明は、単相交流電力を一定電圧の直流電力に変換する交流-直流電力変換装置などの単相交流電力と直流電力との間で電力変換を行う電力変換装置に関する。
【背景技術】
【０００２】
交流と直流間の電力変換において、交流から直流への順変換はコンバータと呼ばれる変換装置によって行われ、直流から交流への逆変換はインバータと呼ばれる変換装置によって行われる。
【０００３】
このような電力変換を静止座標系で行う場合には、制御偏差によって交流電力を高速、高精度に制御することが困難であるという問題がある。そこで、三相交流においては、静止座標上の電圧・電流値を交流入力電圧の位相と同期した回転座標上のｄ軸、ｑ軸に変換して直流値で制御を行うことが一般に行われている。
【０００４】
単相交流においても、交流値に対して位相が９０°ずれた信号を得ることによって、交流入力電圧に同期した回転座標上に変換することが提案されている。この単相交流の有効電力や無効電力の制御において、電流、電圧等の制御対象を回転座標（ｄｑ座標）上で演算することで、交流電力の制御を高速、高精度で行うことが期待される。
【０００５】
単相交流の電力変換の制御を回転座標上で行うものとして、例えば特許文献１，２が知られている。
【０００６】
特許文献１の単相電圧形ＰＷＭ制御インバータ装置では、インバータ装置の出力の検出電圧と、この検出電圧を９０°遅らせた補助基準とを回転座標変換器に入力し、出力電圧のｄ軸成分とｑ軸成分とを算出し、算出したｄ軸成分とｑ軸成分を用いてインバータ装置を制御することが開示されている。
【０００７】
また、特許文献２の半導体電力変換装置の制御回路は、ヒルベルト変換を用いて交流電圧および交流電流の瞬時値の複素ベクトルを検出し、有効電力や無効電力の制御に必要な電流や電圧を回転座標上で演算可能とすることが開示されている。また、ヒルベルト変換で得られる交流電源の複素ベクトルの瞬時位相角を同期運転の基準信号として用いることが開示されている。特許文献２の回路構成では、ヒルベルト変換によって虚軸成分を算出し、遅延回路によってヒルベルト変換による群遅延を補償した実軸成分を算出し、算出した虚軸成分と実軸成分とを用いてｄｑ変換を行い、回転座標上での演算を行っている。
【０００８】
【特許文献１】特開平１−２０９９６０号公報（第２頁右上欄１７行〜１９行、第２頁左下欄１行〜右下欄５行、第３頁左上欄１４，１５行）
【特許文献２】特開２００３−１４３８６０号公報（段落０００５，００５６，００６０，００６２）
【特許文献３】特許第２５０９８９０号明細書（第２頁第４欄３３行〜４０行）
【発明の開示】
【発明が解決しようとする課題】
【０００９】
従来のフルブリッジ構成の単相コンバータでは、運転中に交流入力電圧に高調波が含まれる場合、交流入力電流にも高調波が生じる。交流入力電圧の高調波のレベルによっては、交流入力電流に過大なピーク電流が流れる。過大なピーク電流は、コンバータ等の電力変換装置に損傷を与えるおそれがある。また、交流入力電圧に急激な変動が発生した場合のおいても、制御応答の遅れによって瞬間的に入力に過大な電流が流れる場合がある。
【００１０】
電力変換装置は、このような過剰電流による損傷を回避するために、過電流から装置を保護するための機能を備えるものがある。この過電流保護では、過剰電流が発生した場合に装置を停止させることによって装置の損傷を防いでいる。
【００１１】
一方、電力変換装置は、例えば無停電電源装置に適用され、コンピュータなど瞬時停電も許されない装置に接続されている。したがって、電力変換装置は、交流入力電圧に高調波が含まれる場合や交流入力電圧が急激に変動した場合であっても、装置が停止しないことが求められる。
【００１２】
交直変換装置において、電源電圧の急変やひずみに対応するために、電源電圧の瞬時値を交流のまま制御出力に加算することが提案されている。（例えば、特許文献３参照）
【００１３】
図１７は、特許文献３による交直変換装置の制御態様の概要を説明するための図である。図１７に示す構成例では、交流電源１０２をコンバータ１０３によって直流に変換して負荷１０４に供給する。この構成において、制御回路１１４は、検出器１２１で検出した交流電源１０２側の電流値Isおよび電圧値Vsと、検出器１２２で検出した負荷１０４側の電圧値Vdとを入力して静止座標系において電流制御を行って電圧補正量を算出し、この電圧補正量を用いてコンバータ制御部１１８によってコンバータ１０３を駆動する。このとき、電圧補正量に電源電圧の電圧値Vsを加算する。
【００１４】
この構成では、交流側電圧補正量に電源電圧の瞬時値を合成して交直変換装置の出力電圧を交流量として求めることによって、電源電圧の急変を交直変換装置の出力に直接反映させている。
【００１５】
しかしながら、上記した特許文献３に開示されるものは、電源電圧の瞬時値を交流のまま制御出力に加算するという静止座標上で行う制御であり、回転座標上で行う制御に適用することができない。
【００１６】
したがって、回転座標系で行う電力変換において、交流入力電圧に高調波が含まれる場合や交流入力電圧が急激に変動した場合に、交流入力電流の変動を抑制することを第１の目的とする。
【００１７】
また、回転座標系による電流制御では、逆変換によって電圧指令値を回転座標系から静止座標系に変換する必要がある。この逆変換では、演算パラメータとして入力電圧の位相角が必要となる。上記した特許文献１では、この位相角として基準位相θを用いているが、この基準位相θの具体的な形成方法については明記されていない。
【００１８】
また、上記した特許文献２では、ヒルベルト変換器で求めた虚軸成分と遅延回路で求めた実軸成分とから演算によって求めることが示されている。この構成では、ヒルベルト変換器に含まれる群遅延を補償するために遅延回路が必要となり、入力電圧の位相角を算出するための構成が複雑となるという問題がある。また、虚軸成分および実軸成分は、ヒルベルト変換器および遅延回路の出力信号が変動した場合に、算出された入力電圧の位相角の値に誤差が含まれるおそれがあるという問題も含んでいる。
【００１９】
したがって、回転座標系で行う電力変換において、変換および逆変換に用いる入力電圧の位相角を簡易で高精度に検出することを第２の目的とする。
【００２０】
上記した第１の交流入力電流の変動を抑制する目的、および第２の入力電圧の位相角を簡易で高精度に検出する目的は、共に電力変換を回転座標系で行う際の課題を解決するものであり、交流入力電圧の変動という共通の要因によって生じる課題を解決するものである。
【課題を解決するための手段】
【００２１】
本発明は、単相電力変換器を回転座標系で電流制御し、単相交流電力と直流電力との間で電力変換を行う電力変換において、単相電力変換器の入力電流値を静止座標系から回転座標系に変換し、この回転座標系に変換した入力電流値を用いて電流制御を行い、単相コンバータを制御する電圧制御値を形成し、さらに、この電圧制御値に回転座標系に変換した単相コンバータの入力電圧分を加算して、入力電圧分をバイアスした電圧制御値を用いて単相コンバータを制御する。
【００２２】
本発明によれば、回転座標系で電流制御を行うと共に、この電流制御で形成した電圧制御値に、回転座標系に変換した単相コンバータの入力電圧分を加算することによって交流入力電流の変動を抑制する。
【００２３】
交流入力電流の変動要因は、交流入力電圧に含まれる高調波や、交流入力電圧の急激な変動等の交流入力の電圧変動によるものである。本発明は、この交流入力の電圧変動に対して同電圧変動分をバイアスすることで交流入力電流の変動を抑制する。本発明は、回転座標系に変換した入力電圧分を、回転座標系で電流制御して得た電圧制御値に加算することで、回転座標系において交流入力電流の変動を抑制することができる。
【００２４】
本発明は、交流から直流への順変換を行うコンバータの態様において、方法の形態と装置の形態に適用することができる。
【００２５】
本発明の電力変換方法の形態では、単相コンバータを回転座標系で電流制御し、単相交流電力を直流電力に変換する電力変換方法において、単相コンバータへの入力電流値を回転座標系に変換し、当該回転座標系の入力電流値を電流制御して単相コンバータを制御する電圧制御値を形成し、単相コンバータへの入力電圧分を回転座標系に変換し、この電圧制御値に回転座標系に変換した単相コンバータの入力電圧分をバイアスし、バイアスした電圧制御値を用いて単相コンバータを制御する。
【００２６】
また、本発明の電力変換装置の形態では、単相交流電力を直流電力に変換する単相コンバータと、回転座標系において電流制御を行う回転座標系制御部と、静止座標系の電圧値および電流値を回転座標系に変換する第１の座標変換部と、回転座標系の電圧値を静止座標系に変換する第２の座標変換部と、単相交流の電圧および電流の検出値の位相を＋９０°又は−９０°シフトする位相シフタとを備える。
【００２７】
図１は、本発明の電力変換装置の概略構成を説明するための図である。
【００２８】
図１において、電力変換装置１は、コンバータ３によって電源２の単相交流を直流に電力変換して負荷４に供給する。コンバータ３は、負荷４に供給する電圧が所定電圧となるように、また、力率が１となるように制御される。このコンバータ制御は、コンバータ３の入力側の電流を検出し、この検出電流を回転座標系制御部１３において回転座標上で電流制御し、コンバータ３を制御する電圧制御値を形成する。
【００２９】
回転座標系制御部１３では回転座標上で電流制御の演算を行うため、検出器２１で検出した入力側の電流値ｉおよび電圧値ｅを、第１座標変換部１１によって静止座標系から回転座標系に変換し、回転座標系制御部１３で形成した電圧制御値を第２座標変換部１２によって回転座標系から静止座標系に変換する。これによって、コンバータ制御部１８は、静止座標系の電圧制御値でコンバータ３を制御して電力変換を行う。
【００３０】
回転座標系制御部１３は、コンバータ３を制御するために、電圧制御値を算出する電流制御手段１４と、入力電圧変動による電流変動を抑制する電流変動抑制手段１５の構成を備える。電流変動抑制手段１５は、電流制御手段１４で求めた電圧制御値に第１座標変換部１１で変換した入力電圧ｅを加算する。なお、電流変動抑制手段１５は、電流制御手段１４が電圧制御値を出力する加算器を兼用し、この加算器に第１座標変換部１１で変換した入力電圧ｅを加算する構成とすることができる。
【００３１】
また、第１座標変換部１１および第２座標変換部１２で行う座標変換の演算では、９０°位相がずれた信号が必要であるため、位相シフタ１６によって、検出器２１で検出した入力側の電流値ｉおよび電圧値ｅの位相を９０°ずらし、回転座標系制御部１３の電流制御手段１４に送る。
【００３２】
また、位相検出部１７を位相シフタ１６に接続し、位相シフタ１６の出力に基づいて入力電圧の位相角ωｔを求める。この入力電圧の位相角ωｔは、第１座標変換部１１および第２座標変換部１２で行う座標変換演算に要する演算パラメータとして用いられる。
【００３３】
上記した各構成において、電流変動抑制手段１５、位相シフタ１６、および位相シフタ１６をローパスフィルタとしその出力を用いた位相検出部１７の各手段は、本発明が特徴的に備える構成である。
【００３４】
第１の座標変換部は、単相交流の入力電流値と、位相シフタによって入力電流値を９０°位相シフトした電流値とを入力して回転座標系の電流値に変換する。
【００３５】
また、回転座標系制御部は、電流制御手段と電流変動抑制手段とを備え、いずれの手段も回転座標上の演算処理で行うことができる。電流制御手段は、第１の座標変換部で変換した回転座標系の電流値を電流制御して回転座標系の電圧制御値を形成する。電流変動抑制手段は、電圧制御値に単相コンバータに入力する入力電圧分を加算して、入力電圧変動による電流変動を抑制する。
【００３６】
第２の座標変換部は、回転座標系制御部が出力する回転座標系の電圧指令値を静止座標系の電圧指令値に変換する。単相コンバータは、第２の座標変換部が出力する静止座標系の電圧指令値に基づいて交流電力を直流電力に電力変換する。
【００３７】
電流変動抑制手段は、電流制御手段が出力する電圧制御値に、第１の座標変換部で変換した回転座標系の電圧値を加算する。
【００３８】
電流制御手段は、回転座標系のｑ軸の指令電流を零とし、回転座標系のｄ軸の指令電流を、単相コンバータの出力電圧と電圧指令値との偏差を零とするＰＩ制御で得た値とするＰＩ制御を行う。回転座標系のｑ軸の指令電流を零とすることによって、力率を改善して力率を１とし、単相ＰＦＣ（Power Factor Correction）コンバータを構成することができる。
【００３９】
本発明の位相シフタは、単相交流の電圧および電流の検出値の位相を＋９０°又は−９０°シフトする装置であり、例えば、オペアンプを用いた９０°進み回路により構成することができる。本発明が備えるオペアンプを用いた９０°進み回路は、オペアンプの帰還抵抗を、第１のコンデンサと、接続点を第２のコンデンサを介して接地した直列抵抗との並列回路で構成することができる。この９０°進み回路の周波数特性は抵抗およびコンデンサを調整することで定めることができる。この位相シフタの周波数特性は、所定周波数において所定のゲインを有すると共に、９０°の位相ずれを有する特性とする。この所定周波数として、電力変換装置によって変換する交流の周波数とすることで、電力変換を行う周波数において、大きさを変えることなく位相のみを９０°進ませることができる。
【００４０】
本発明の電力変換装置は、位相シフタとして９０°進み回路に限らず９０°遅れ回路を用いて構成してもよい。９０°遅れ回路は、例えば、上述した９０°進み回路に位相反転回路を接続することによって構成することができる。
【００４１】
本発明の電力変換装置は、電流制御を回転座標上の演算で行うため、静止座標系の電圧値および電流値を回転座標系に変換する第１の座標変換部を備える。また、回転座標上の電流制御で得られた電圧制御値を用いて単相コンバータを制御するには、静止座標上で駆動する単相コンバータに合わせて、回転座標上の電圧制御値を静止座標上の電圧制御値に逆変換する必要がある。本発明の電力変換装置は、この回転座標系から静止座標系への逆変換を行うために第２の座標変換部とを備える。
【００４２】
第１の座標変換部および第２の座標変換部は、座標変換の演算を行うために入力電圧の位相角を演算パラメータとして必要としている。本発明電力変換装置は、この入力電圧の位相角を検出する位相検出手段を備える。この位相検出手段は、位相シフタの出力を用いるものであり、位相シフタによるローパスフィルタ出力の零点を基準として入力電圧の位相角を検出する。
【００４３】
本発明のオペアンプを用いた９０°進み回路により構成される位相シフタは、入力電圧の位相を９０°進める特性の他にローパスフィルタの特性を有している。したがって、入力電圧信号に高周波成分やピーク成分が含まれている場合であっても、このローパスフィルタの特性によってこれらの高周波成分やピーク成分は除去され、基本波を抽出することができる。
【００４４】
また、本発明のオペアンプを用いた９０°進み回路の直流分に対するゲインを有限値とすることによって、入力信号に含まれるオフセット電圧が増幅されることによる飽和を防ぐことができる。
【００４５】
位相検出手段は、位相シフタの出力が零となる零点を基準として位相角を検出する際、信号成分から高周波成分やピーク成分を除去することによって、零点を誤って検出することを防ぐことができ、位相角を高精度で検出することができる。
【００４６】
また、本発明の構成によれば、入力電圧値を回転座標系に変換するために備える位相シフタを位相検出に兼用することができるため、回路構成を簡略化し小型化することができる。
【００４７】
本発明が備える単相コンバータは、例えば、入力端と出力端との間に、自己消弧形素子とダイオードとを並列接続したスイッチ素子をブリッジ接続してなる単相ブリッジ回路で構成することができる。各スイッチ素子を電圧指令値に従って開閉制御することにより交流電力を直流電力に電力変換する。
【００４８】
本発明の態様によれば、回転座標系に変換した入力電圧を、回転座標上の電圧指令値に加算することによって、交流入力電圧の変動に起因する交流入力電流の変動を抑制することができる。
【００４９】
本発明の態様によれば、位相シフタにローパスフィルタの特性を持たせることによって、座標変換に用いる位相角の演算パラメータを簡易で高精度で検出することができる。
【００５０】
本発明の態様によれば、位相シフタとしてオペアンプを用いた９０°進み回路を用い、この９０°進み回路の直流信号のゲインを有限値とすることで、入力電圧に含まれるオフセット電圧が増幅されて飽和することを防ぐことができる。
【発明の効果】
【００５１】
以上説明したように、本発明の電力変換装置によれば、交流入力電圧の変動に起因する課題を解決することができる。
【００５２】
より詳細には、本発明の電力変換装置によれば、回転座標系で行う電力変換において、交流入力電圧に高調波が含まれる場合や交流入力電圧が急激に変動した場合に、交流入力電流の変動を抑制することができる。
【００５３】
また、回転座標系で行う電力変換において、変換および逆変換の座標変換に用いる入力電圧の位相角を簡易で高精度に検出することができる。
【発明を実施するための最良の形態】
【００５４】
以下、本発明の実施の形態について、図を参照しながら詳細に説明する。
【００５５】
図２は本発明の電力変換装置の一構成例を説明するための図である。図２は、前記した図１に示す概略構成を詳細に示した図である。
【００５６】
図２において、電源２は交流電源２Ａとし、コンバータ３は、自己消弧形素子とダイオードとを並列接続したスイッチ素子３ａ〜３ｄをブリッジ接続してなる単相ブリッジ回路で構成し、入力端はインダクタンスＬを介して交流電源２Ａと接続し、出力端は平滑コンデンサを介して負荷４と接続する。
【００５７】
スイッチ素子３ａ〜３ｄは、制御パルス生成手段１８ｂからの制御パルス信号によって開閉のタイミングと開閉間隔が制御され、交流電源２Ａからの交流電力は直流電力に変換されて負荷４に供給される。
【００５８】
電流検出手段２１Ａは、交流電源２Ａ側の入力電流値を検出し、また、電圧検出手段２１Ｂは交流電源２Ａ側の入力電圧値を検出する。電流検出手段２１Ａは、検出した電流値を、第１座標変換部１１を構成する回転座標変換手段１１Ａに入力すると共に、位相シフタ１６を構成する９０°進み回路１６Ａに入力する。また、電圧検出手段２１Ｂは、検出した電圧値を、第１座標変換部１１を構成する回転座標変換手段１１Ｂに入力すると共に、位相シフタ１６を構成する９０°進み回路１６Ｂに入力する。
【００５９】
９０°進み回路１６Ａおよび９０°進み回路１６Ｂは、オペアンプにより構成することができ、所定周波数において所定のゲインを有し、９０°の位相ずれを有する周波数特性を備える。この９０°進み回路の詳細については後述する。
【００６０】
回転座標変換手段１１Ａは、電流検出手段２１Ａから静止座標系の交流入力電流ｉa′を入力し、９０°進み回路１６Ａから静止座標系の交流入力電流ｉb′を入力する。交流入力電流ｉb′は交流入力電流ｉa′に対して９０°位相が進んだ信号である。回転座標変換手段１１Ａは、入力した静止座標系の交流入力電流ｉa′および交流入力電流ｉb′に対して座標変換の演算を施して回転座標系（ｄｑ座標変換系）のｄ軸電流ｉd′およびｑ軸電流ｉq′を算出する。
【００６１】
また、回転座標変換手段１１Ｂは、電圧検出手段２１Ｂから静止座標系の交流入力電圧ｅa′を入力し、９０°進み回路１６Ｂから静止座標系の交流入力電圧ｅb′を入力する。交流入力電圧ｅb′は交流入力電圧ｅa′に対して９０°位相が進んだ信号である。回転座標変換手段１１Ｂは、入力した静止座標系の交流入力電圧ｅa′および交流入力電圧ｅb′に対して座標変換の演算を施して回転座標系（ｄｑ座標変換系）のｄ軸電圧ｅd′およびｑ軸電圧ｅq′を算出する。
【００６２】
また、位相検出部１７は、９０°進み回路１６Ｂから静止座標系の交流入力電圧ｅb′を入力し、この交流入力電圧ｅb′が零点をなる時点を検出することで入力電圧の位相角ωｔを算出する。回転座標変換手段１１Ａ，１１Ｂは、位相検出部１７で求めた位相角ωｔを演算パラメータとして座標変換を行う。また、この位相角ωｔは、回転座標系から静止座標系に逆変換を行う回転座標変換部１２にも送られる。
【００６３】
回転座標系制御部１３は、ｄ軸電流ｉd′とその目標値ｉd*との偏差を求める減算器３１と、減算器３１で求めた（ｉd′−ｉd*）を入力して、ｄ軸電流ｉd′を目標値ｉd*に制御するためのＰＩ制御器１４ａと、ｑ軸電流ｉq′をωＬ倍するための掛算器１４ｅと、掛算器１４ｅの出力とＰＩ制御器１４ａの出力との偏差を求める減算器３３を備えると共に、ｑ軸電流ｉq′とその目標値ｉq*との偏差を求める減算器３２と、減算器３２で求めた（ｉq′−ｉq*）を入力して、ｑ軸電流ｉq′を目標値ｉq*に制御するためのＰＩ制御器１４ｂと、ｄ軸電流ｉd′をωＬ倍するための掛算器１４ｆと、掛算器１４ｆの出力とＰＩ制御器１４ｂの出力とを加算する加算器３４を備える。
【００６４】
また、減算器３３には回転座標変換手段１１Ｂからのｄ軸電圧ｅd′が加算され、加算器３４には回転座標変換手段１１Ｂからのｑ軸電圧ｅq′が減算される。
【００６５】
この構成によって、回転座標系制御部１３の減算器３３からはｄ軸制御電圧ｖd′が出力され、回転座標系制御部１３の加算器３４からはｑ軸制御電圧ｖq′が出力される。
【００６６】
減算器３３および加算器３４は、回転座標系制御部１３の電流変動抑制手段を構成する。減算器３３による電流変動抑制手段は、電流制御で得られたｄ軸制御電圧ｖd′にｄ軸電圧ｅd′を加算することによって、入力電圧変動による電流変動を抑制する。また、加算器３４による電流変動抑制手段は、電流制御で得られたｑ軸制御電圧ｖq′にｑ軸電圧ｅd′を加算することによって、入力電圧変動による電流変動を抑制する。
【００６７】
回転座標系制御部１３では、ｄ軸電流の目標値としてｉd*を入力し、ｑ軸電流の目標値としてｉq*を入力する。
【００６８】
目標値ｉd*は、単相コンバータ３の直流出力電圧ｖdc′が直流電圧指令値ｖdc*となるように、回転座標系制御部１３を制御する。この目標値ｉd*を求める構成は、単相コンバータ３の直流出力電圧ｖdc′を検出する検出器２２と、直流電圧指令値ｖdc*を出力する指定電圧設定手段１４ｄと、直流出力電圧ｖdc′と直流電圧指令値ｖdc*との偏差を求める減算器３０と、求めた偏差（ｖdc*−ｖdc′）をＰＩ制御して直流出力電圧ｖdc′を一定に保持させるためのＰＩ制御器１４ｃとを備え、このＰＩ制御器１４ｃの出力ｉd*を目標値としてＰＩ制御器１４ａの入力側の減算器３１に入力する。
【００６９】
一方、目標値ｉq*は無効電流指令とし、単相コンバータ３による電力変換において無効電力が零となるように回転座標系制御部１３を制御する。無効電流指令は無効電力を零として力率を１とするために、目標値ｉq*を“０”に設定し、この目標値ｉq*＝０を目標値としてＰＩ制御器１４ｂの入力側の減算器３２に入力する。
【００７０】
座標変換部１２は、回転座標系制御部１３で得られたｄ軸制御電圧ｖd′とｑ軸制御電圧ｖq′の制御出力を逆変換して、回転座標系から静止座標系に再変換する。
【００７１】
制御パルス生成手段１８ｂは、座標変換部１２の再変換で得られた静止座標系の制御電圧ｖa′を用いて単相コンバータ３を制御する制御パルス信号を生成する。制御パルス信号の生成は、例えば、制御電圧ｖa′の電圧値と三角波形のキャリア信号とを比較することで行う。
【００７２】
以下、上述した電力変換装置が備える各構成部分において、９０°進み回路の構成および動作について図３〜図６を用いて説明し、回転座標上で行う電流制御について図７〜図１０を用いて説明し、電流制御の指令値について図１１を用いて説明し、ＰＷＭパスルの出力について図１２を用いて説明し、本発明の実施例について図１３〜図１６を用いて説明する。
【００７３】
[９０°進み回路の構成および動作]
本発明は、交流電圧あるいは交流電流に対して位相が９０°ずれた信号を形成する回路として、オペアンプを用いた新規な構成の回路を用いる。この９０°進み回路は一定の周波数以上において位相が９０°進んだ信号を出力する周波数特性を備えるもので、電力変換装置の単相コンバータが電力変換する交流信号の周波数において、入力した電流信号あるいは電圧信号の位相を９０°進める。
【００７４】
一般に、オペアンプを用いて９０°進み回路を構成することが知られている。図３は一般的なオペアンプを用いた９０°進み回路の構成例である。
【００７５】
図３に示す回路構成の９０°進み回路は、オペアンプＯＰの入力抵抗にＲ1を接続し帰還抵抗にＣ1を接続して構成され、入力信号ｅaの位相を９０°ずらした出力信号ｅoを出力する。
【００７６】
この回路の伝達関数は、
ｅo／ｅa＝−（１／Ｃ1Ｒ1）・（１／ｓ）
で表され、上記式でｓ→０とすることで得られる、時間が充分経過したときの直流分のゲインは無限大となる。そのため、入力信号に含まれるオフセット電圧の直流分が積分されて出力ｅoは飽和することになる。
【００７７】
そこで、本発明では、９０°進み回路は図４に示す回路構成とすることで、所定の周波数特性を備えると共に、上記した飽和の問題を解消する。図４に示す９０°進み回路４０は、オペアンプＯＰに接続する帰還抵抗として、第１のコンデンサＣ1と、接続点を第２のコンデンサＣ2を介して接地した抵抗ＲF1とＲF2の直列抵抗との並列回路とする構成である。
【００７８】
一般に、交流電圧を式（１）で表されるｅaとしたとき、このｅaに対して位相が９０°進んだ交流入力電圧ｅbは式（２）で表される。
【００７９】
【数１】
0005078144.tif 000002
0005078144.tif 000003
【００８０】
図４で示される９０°進み回路４０の伝達関数は式（３）で表される。式（３）中のｅaは９０°進み回路の入力信号であり、ｅoは９０°進み回路の出力信号である。ここでは、９０°進み回路への入力信号と交流電圧の一般式とを、共に位相進めを行う前の信号として共通するｅaで表している。
【００８１】
【数２】
0005078144.tif 000004
【００８２】
上記式（３）において、ｓが以下の式（４）の関係を満たすような領域では、
【数３】
0005078144.tif 000005
式（３）で示される伝達関数（ｅo／ｅa）は、式中のsにωｔを代入して近似式を求めると以下の式（５）で表される。
【００８３】
式（４）を満たすｓの領域は、例えば、周波数ωと時間ｔとの積が１／（Ｃ1（ＲF1＋ＲF2＋ｓＣFＲF1ＲF2）よりも充分に大きい領域であり、所定の周波数ωでは充分な時間が経過した後の状態であることを表し、所定の時間ｔが経過した時点においては周波数ωが充分な大きな状態であることを表している。
【００８４】
【数４】
0005078144.tif 000006
【００８５】
ここでＲ1、Ｃ1の各定数を以下の条件を満たすように選定する。
【００８６】
選定の条件は、式（２）のｅb中の基本波成分（ｎ＝１）が式（４）を満たす領域であって、かつ、１／Ｒ1Ｃ1ω1＝１を満たすものである。
【００８７】
なお、１／Ｒ1Ｃ1ω1＝１の条件は、式（４）を満たすような領域において、ゲインが“１”となる条件を表している。
【００８８】
上記の条件を満たすＲ1、Ｃ1の各定数を選定すると、交流入力電圧ｅaとｅbの基本波の振幅はＥb1≒Ｅa1と近似することができる。
【００８９】
したがって、この振幅の関係から、９０°進み回路の出力信号ｅoは９０°位相を進めた出力信号ｅbとして利用することができ、以下の式（６）で表される。
【００９０】
【数５】
0005078144.tif 000007
【００９１】
これにより、本発明の図４に示す９０°進み回路４０の回路構成は、入力信号ｅaの位相を９０°進めた出力信号ｅoを出力する。
【００９２】
なお、図２に示した本発明の電力変換装置１では、位相シフタとして９０°進み回路４０を用いる構成例を示しているが、９０°遅れ回路を用いる構成例とすることもできる。この場合には、図４に示した９０°進み回路に代えて、図５に示す構成の９０°遅れ回路を用いることができる。
【００９３】
図５に示す９０°遅れ回路４２は、図４に示した９０°進み回路４０の出力端に位相反転回路４１を接続することで構成することができる。位相反転回路４１は、例えば、オペアンプＯＰに入力抵抗Ｒ2と帰還抵抗Ｒ3を接続することで構成することができる。位相反転回路４１は、９０°進み回路４０の出力の位相を反転する。この９０°遅れ回路４２の出力信号ｅbは以下の式（７）で表される。
【００９４】
【数６】
0005078144.tif 000008
【００９５】
以下では、本発明の電力変換装置が備える位相シフタは９０°進み回路の例を用いて説明するが、９０°遅れ回路を用いた構成についても同様とすることができる。
【００９６】
本発明の電力変換装置に用いる、図４に示す９０°進み回路の一例について説明する。ここで示す例は、基本波が５０Ｈｚにおいて、入力電圧ｅaの基本波の振幅Ｅa1と、９０°位相を進めた出力電圧ｅbの基本波の振幅Ｅb1がほぼ等しくなる（Ｅa1≒Ｅb1）ようにＣ1，Ｃ2，Ｒ1，Ｒ2，Ｒ3の定数を選定する。
【００９７】
この定数の選定では、帰還抵抗（ＲF1＋ＲF2）と入力抵抗Ｒ1との抵抗比（（ＲF1＋ＲF2）／Ｒ1）を例えば４程度に設定し、オペアンプＯＰの内部抵抗を充分に大きな値としている。
【００９８】
図６は、上記で選定した定数で９０°進み回路を構成したときの周波数特性を示し、非反転回路として計算したシミュレーション結果を示している。
【００９９】
この９０°進み回路は、基本波が５０Ｈｚにおいて、入力電圧ｅaと出力電圧ｅbの各基本波の振幅がほぼ等しくなるようにゲインを設定しているため、ゲインは５０Ｈｚ付近で０dBを示し、位相はほぼ２０Ｈｚ以上の周波数で−９０°を維持する特性を示している。
【０１００】
本発明の９０°進み回路の回路構成によれば、直流成分のゲインは
（ＲF1＋ＲF2）／Ｒ1
で表すことができる。このゲインは、式（３）においてｓ＝０とおくことによって求めることができる。
【０１０１】
したがって、直流成分のゲインは有限であるため、入力信号にオフセット電圧が生じたとしても、出力信号が飽和することはなく、前記した図３に示した９０°進み回路の回路構成の場合のように、時間経過とともに出力信号が飽和するという問題は生じない。
【０１０２】
例えば、上記回路構成において上述したように定数を選定すると、５mVのオフセット電圧が生じた場合には、
ｅa×（ＲF1＋ＲF2／Ｒ1）＝５mV×４＝２０mV
の直流分が出力されるに過ぎず、出力が飽和するという問題は生じない。
【０１０３】
[回転座標上で行う電流制御]
次に、本発明の回転座標上で行うコンバータの電流制御について、図７〜図１０を用いて説明する。図７はコンバータの入出力関係を説明するための図であり、図８は静止座標系と回転座標系との関係を説明するための図であり、図９は９０°位相進め回路のローパスフィルタ特性を説明するための図であり、図１０はコンバータを電流制御する電流制御ブロックを示す図である。
【０１０４】
図７において、単相コンバータ３は、入力端と出力端との間に、自己消弧形素子とダイオードとを並列接続したスイッチ素子３ａ〜３ｄをブリッジ接続してなる単相ブリッジ回路から構成される。単相コンバータ３の入力端にはインダクタンスＬを介して交流電源２Ａが接続され、単相コンバータ３の出力端には平滑コンデンサと負荷４が接続されている。
【０１０５】
単相コンバータ３の各スイッチ素子３ａ〜３ｄは、電圧指令値に従って開閉制御され、交流電力を直流電力に電力変換して負荷４に供給する。なお、ｅaは交流入力電圧、ｉaは交流入力電流、ｖaはコンバータの入力側電圧である。
【０１０６】
この単相コンバータにおいて、入力電圧ｅaを回転ベクトルの実軸成分（図８中の実軸（ａ軸）で示す）とすると、９０°進め回路で位相を９０°進めた電圧ｅbを回転ベクトルの虚軸成分（図８中の虚軸（ｂ軸）で示す）で表すことができる。
【０１０７】
また、交流入力電流ｉa、および入力側電圧ｖaについても回転ベクトルの実軸成分とし、９０°進め回路で位相を９０°進めた電流ｉb、および電圧ｖbを回転ベクトルの虚軸成分で表すことができる。
【０１０８】
これらの実軸成分ｅa，ｉa，およびvaと虚軸成分ｅb，ｉb，およびｖbの各電圧・電流の関係は以下の式（８）で表される行列［Ｃ］を用いて、入力電圧に同期した回転座標上（ｄｑ軸座標上）に変換することができる。また、この逆行列[Ｃ]-1により回転座標上から静止座標上に逆変換することができる。
【０１０９】
【数７】
0005078144.tif 000009
【０１１０】
ここで、交流入力電圧の回転座標（ｄｑ軸座標）上の値をｅd（ｄ軸成分），ｅq（ｑ軸成分）とすると、上記した変換行列[Ｃ]を用いることによって以下の式（９）で表される。
【０１１１】
【数８】
0005078144.tif 000010
【０１１２】
また、同様にして、交流入力電流の回転座標（ｄｑ軸座標）上の値をｉd（ｄ軸成分），ｉq（ｑ軸成分）とし、コンバータの入力電圧の回転座標（ｄｑ軸座標）上の値をｖd（ｄ軸成分），ｖq（ｑ軸成分）とすると、上記した変換行列[Ｃ]を用いることによって、それぞれ以下の式（９）、（１０）で表される。
【０１１３】
【数９】
0005078144.tif 000011
0005078144.tif 000012
【０１１４】
上記した座標変換を行うためには、入力電圧の位相角ωtが必要である。交流の位相角を得るには電圧の零点を基準にしてωtを決定するのが一般的である。しかしながら、入力電圧の波形に高調波が含まれるときにはゼロクロスを複数回行う場合がある。このように、複数回のゼロクロスが行われると、ゼロクロス毎に零点が検出され、本来１点で検出されるべき零点が複数の検出されることになり、結局誤った位相が検出されることになる。
【０１１５】
これに対して、本発明は座標変換のために９０°位相をずらせるために用いた位相シフタが備えるローパスフィルタの特性を利用することで、入力電圧の波形に含まれる高調波を除去し、位相シフタの出力から位相角ωを求める。
【０１１６】
前記した本発明が備える９０°位相進め回路は、前記した図６の周波数特性に示すように、高調波成分を減衰してノイズや高調波が除去するローパスフィルタの特性を有し、さらに、本回路構成では５０Ｈｚや６０Ｈｚ等の所定の周波数に対して位相のずれがほぼ９０°の一定となるため、本回路構成の９０°位相進め回路の出力について零点を基準にしてsinωt,cosωtを求めることで、位相を正確に検出することができる。
【０１１７】
また、本回路構成では、座標変換するための回路の一部を流用するため、新たにフィルタ回路を設ける必要が無いという効果を有している。
【０１１８】
図９は本発明の電力変換装置が備える９０°位相進め回路のローパスフィルタ特性を説明するための図である。図９（ａ），（ｂ）に示すシミュレーション結果によれば、高調波成分を含む入力電圧を９０°位相進め回路に通すと、位相が９０°ずれた出力電圧が出力されると共に、入力電圧に含まれていた高調波成分は除去される。
【０１１９】
ここで、図７の回路において交流入力電圧ｅ,交流入力電流ｉ,コンバータの入力電圧ｖの関係は次式の式（１２）、（１３）で表される。
【０１２０】
【数１０】
0005078144.tif 000013
【０１２１】
【数１１】
0005078144.tif 000014
【０１２２】
上記式（１３）の各交流入力電圧ｅa,ｅb、交流入力電流ｉa,ｉb、コンバータの入力電圧ｖa,ｖbに、式（９），（１０），（１１）を代入し展開すると、交流入力電圧ｅ,交流入力電流ｉ,コンバータの入力電圧ｖを回転座標（ｄｑ軸）上で表した次式（１４）を得る。
【０１２３】
【数１２】
0005078144.tif 000015
式（１４）からコンバータの入力電圧ｖを回転座標（ｄｑ軸）で表したｖd（ｄ軸）、ｖq（ｑ軸）は次式（１５）、（１６）で表される。
【０１２４】
【数１３】
0005078144.tif 000016
【０１２５】
【数１４】
0005078144.tif 000017
【０１２６】
ここで、交流入力電流ｉのｄ軸電流ｉdの制御目標値をｉd*とし、交流入力電流ｉのｑ軸電流ｉqの制御目標値をｉq*とし、式（１５），（１６）の右辺第３項部分をＰＩ制御器によって同様な機能を持たせると、式（１５），（１６）は、回転座標上の電流制御系では以下の式（１７），（１８）に写像することができる。なお、式（１７），（１８）では、コンバータの主回路上の各電圧（ｅ、ｖ）、電流（ｉ）に対し、電流制御上の値は「′」を付して表している。
【０１２７】
【数１５】
0005078144.tif 000018
【数１６】
0005078144.tif 000019
【０１２８】
図１０は上記式（１７），（１８）を電流制御ブロック図で表したものである。
【０１２９】
式（１７）は、回転座標系の電流制御において、ｄ軸上においてインバータの入力電圧ｖd′の生成を示している。式（１７）において、右辺第２項部分と右辺第３項部分は電流制御手段１４に相当し、右辺第１項部分は電流変動抑制手段１５に相当している。
【０１３０】
電流制御機能において、右辺第２項部分である（ωＬｉq′）は、回転座標変換手段１１Ａで生成されたｑ軸電流ｉq′に（ωＬ）を乗じることで生成され、右辺第３項部分である（ｋp＋ｋi／ｓ）（ｉd*−ｉd′）は、減算器３１で算出した（ｉd*−ｉd′）を、（ｋp＋ｋi／ｓ）の機能を有するＰＩ制御器１４ａに通すことで生成され、生成された（ωＬｉq′）と（ｋp＋ｋi／ｓ）（ｉd*−ｉd′）とを減算器３３に入力して（ωＬｉq′）から（ｋp＋ｋi／ｓ）（ｉd*−ｉd′）を減算することよって、電流制御を行うｄ軸上の制御電圧ｖd′が得られる。
【０１３１】
また、電流変動抑制機能は、右辺第１項部分であるｅd′は回転座標変換手段１１Ｂで生成されたｄ軸電圧ｅd′を減算器３３に加算して、制御電圧ｖd′をｅd′分だけバイアスすることで行われる。
【０１３２】
一方、式（１８）は、回転座標系の電流制御において、ｑ軸上においてインバータの入力電圧ｖq′の生成を示している。式（１８）において、右辺第２項部分と右辺第３項部分は電流制御手段１４に相当し、右辺第１項部分は電流変動抑制手段１５に相当している。
【０１３３】
電流制御機能において、右辺第２項部分である（ωＬｉd′）は、回転座標変換手段１１Ａで生成されたｄ軸電流ｉd′に（ωＬ）を乗じることで生成され、右辺第３項部分である（ｋp＋ｋi／ｓ）（ｉq*−ｉq′）は、減算器３２で算出した（ｉq*−ｉq′）を、（ｋp＋ｋi／ｓ）の機能を有するＰＩ制御器１４ｂに通すことで生成され、生成された（ωＬｉd′）と（ｋp＋ｋi／ｓ）（ｉq*−ｉq′）とを加算器３４に符号を反転させて入力して（ωＬｉd′）と（ｋp＋ｋi／ｓ）（ｉq*−ｉq′）を加算して符号を変えることよって、電流制御を行うq軸上の制御電圧ｖq′が得られる。
【０１３４】
また、電流変動抑制機能は、右辺第１項部分であるｅq′は回転座標変換手段１１Ｂで生成されたｑ軸電圧ｅq′を加算器３４に加算して、制御電圧ｖq′をｅq′分だけバイアスすることで行われる。これによって、ｄｑ軸上の制御出力値ｖd′，ｖq′を得ることができる。
【０１３５】
［電流制御の指令値]
本発明の電力変換装置において単相コンバータは、直流出力電圧を定電圧に保つと同時に入力電流を交流電圧と同相として、力率１の正弦波にすることを目的の一つとしている。回転座標上においてｑ軸電流ｉqを０とすれば入力電流が入力電圧と同相になるため、ｑ軸電流ｉq の指令値ｉq*＝０とすることによって、入力電流を交流電圧と同相する機能を達成することができる。
【０１３６】
一方、ｄ軸電流ｉdは直流出力電圧を一定に保つために必要な電流に制御されればよい。そこで、図１１に示すように、ｄ軸電流ｉd の指令値ｉd*は、直流出力電圧の検出値ｖdc′とその指令値ｖdc*との偏差（ｖdc*−ｖdc′）をＰＩ制御器１４ｃに入力し、ＰＩ制御器１４ｃによってこの偏差（ｖdc*−ｖdc′）を零となるようすることで得る。
【０１３７】
[ＰＷＭパスルの出力]
回転座標系制御部１３で得たｄ軸の制御電圧ｖd′およびｑ軸の制御電圧ｖq′は、式(８)の逆変換行列[Ｃ]-1を用いて(１３)式を変形し、図１２に示す静止座標上の交流値ｖa′，ｖb′に戻される。ここで得られる交流値ｖa′，ｖb′のうち、b軸は仮想的に設けたものであるため、制御出力としてはｖb′を使用せずｖa′のみを用いる。
【０１３８】
制御パルス生成手段１８ｂは、このｖa′とキャリア三角波信号生成手段１８ａで生成したキャリア周波数の三角波と比較することにより、単相コンバータ３のIGBT等のスイッチング素子を駆動する制御パルスを生成し、ＰＷＭパルス制御を行う。
【０１３９】
なお、この制御パルス信号の生成は、ＰＷＭ制御としてよく知られているため、ここでの説明は省略する。
【０１４０】
[本発明の電力変換装置の波形例]
本発明の電力変換装置によって電力変換した際の波形例について、特に電流変動抑制の効果について図１３〜図１６を用いて説明する。
【０１４１】
図１３，図１４は、入力電圧が急変したときの交流入力電流の変化と直流出力電圧の変化を示し、図１３は電流変動抑制を行わない場合の波形例を示し、図１４は電流変動抑制を行った場合の波形例を示している。
【０１４２】
図１３に示す波形例は、電流制御によって得られる制御出力ｖd′、ｖq′のみで単相コンバータを制御した場合を示し、図１４に示す波形例は、電流制御によって得られる制御出力ｖd′、ｖq′に入力電圧ｅd′、ｅq′を加算した信号を用いて単相コンバータを制御した場合を示している。
【０１４３】
両場合において、図中の矢印は交流入力電圧が急変した時点を示している。この入力電圧の急変時において、図１３と図１４の交流入力電流および直流出力電圧を比較すると、共に電流変動抑制時には変動幅が低減することが確認される。
【０１４４】
また、図１５，図１６は、入力電圧の歪みに対する交流入力電流の変化を示し、図１５は電流変動抑制を行わない場合の波形例を示し、図１６は電流変動抑制を行った場合の波形例を示している。
【０１４５】
図１５に示す波形例は、電流制御によって得られる制御出力ｖd′、ｖq′のみで単相コンバータを制御した場合を示し、図１６に示す波形例は、電流制御によって得られる制御出力ｖd′、ｖq′に入力電圧ｅd′、ｅq′を加算した信号を用いて単相コンバータを制御した場合を示している。
【０１４６】
入力電圧に同じ歪みが含まれるとしたとき、図１５と図１６の交流入力電流を比較すると、電流変動抑制を行うことによってが入力電流歪率が大きく低減されることが確認される。
【０１４７】
本発明のコンバータの実施例によれば、単相コンバータへの入力電流は、直流定電圧制御系からの指令値にもとづいて制御され、また、本発明の制御によれば、入力電圧が変動したときでも、電流制御のＰＩ制御器の出力に加算されたｅd′,ｅq′が入力電圧の変動に応じて変化するため、交流入力電圧の急変時や、入力電圧に高調波が含まれる場合でも、電力変換器の交流入力側の電圧を交流入力電圧と同じように変動させ、ＰＩ制御器の応答を待つことなく過渡変動を抑制することができる。
【０１４８】
また、本発明の電力変換装置が備える９０°進み回路の位相シフタによれば、そのローパスフィルタ特性を有する周波数特性を利用することによって入力電圧に高調波が含まれている場合であっても、高調波を除去し入力電圧の電圧位相を検出することによって、位相検出の誤差を低減し、電力変換後の電流変動を低減させることができる。
【０１４９】
本発明の電力変換装置によれば、入力電源の品質が低水準の場合であっても、出力電圧を安定させると共に出力電流の変動を抑制することによって、この電源を接続した装置の稼働率が向上させることができる。
【０１５０】
本発明の電力変換装置によれば、出力電流の変動が抑えられるため、電力変換部の過電流耐量を下げた設計が可能となり、小型化、廉価化が容易となる。
【０１５１】
なお、本発明は前記各実施の形態に限定されるものではない。本発明の趣旨に基づいて種々変形することが可能であり、これらを本発明の範囲から排除するものではない。
【産業上の利用可能性】
【０１５２】
本発明の電力変換装置の電流制御部は、デジタル信号で行うことができ、コンピュータ上のソフトウエア出力を行うことができる。
【０１５３】
また、本発明の電力変換装置の後段にＤＣ／ＤＣコンバータを接続することによって、高力率のＡＣ／ＤＣコンバータを構成することができる。
【０１５４】
また、本発明の電力変換装置によるコンバータを蓄電池の充電装置として使用し、後段に蓄電装置・逆変換装置をすることによって無停電電源装置を構成することができる。
【図面の簡単な説明】
【０１５５】
【図１】本発明の電力変換装置１の概略構成を説明するための図である。
【図２】本発明の電力変換装置の一構成例を説明するための図である。
【図３】一般的なオペアンプを用いた９０°進み回路の構成例である。
【図４】本発明の電力変換装置が備える９０°進み回路の回路構成を説明するための図である。
【図５】本発明の電力変換装置が備える９０°遅れ回路の回路構成を説明するための図である。
【図６】本発明の電力変換装置が備える９０°進み回路の周波数特性を示す図である。
【図７】コンバータの入出力関係を説明するための図である。
【図８】静止座標系と回転座標系との関係を説明するための図である。
【図９】９０°位相進め回路のローパスフィルタ特性を説明するための図である。
【図１０】コンバータを電流制御する電流制御ブロックを示す図である。
【図１１】電流制御の指令値を説明するための図である。
【図１２】ＰＷＭパスルの出力生成を説明するための図である。
【図１３】入力電圧が急変したときの交流入力電流の変化と直流出力電圧の変化を示す図である。
【図１４】入力電圧が急変したときの交流入力電流の変化と直流出力電圧の変化を示す図である。
【図１５】入力電圧の歪みに対する交流入力電流の変化を示す図である。
【図１６】入力電圧の歪みに対する交流入力電流の変化を示す図である。
【図１７】従来の交直変換装置の制御態様の概要を説明するための図である。
【符号の説明】
【０１５６】
１ 電力変換装置
２ 電源
２Ａ 交流電源
２Ｂ 直流電源
３ 単相コンバータ
３ａ-３ｄ スイッチ素子
３ａ-３ｄ 各スイッチ素子
４  負荷
５ インバータ
１１ 座標変換部
１１Ａ，１１Ｂ  回転座標変換手段
１２ 座標変換部
１３ 回転座標系制御部
１４ 電流制御手段
１４ａ 制御器
１４ｂ 制御器
１４ｃ 制御器
１４ｄ 指定電圧設定手段
１４ｅ 掛算器
１４ｆ 掛算器
１５ 電流変動抑制手段
１６ 位相シフタ
１６Ａ 回路
１６Ｂ 回路
１７ 位相検出部
１８ コンバータ制御部
１８ａ キャリア三角波信号生成手段
１８ｂ 制御パルス生成手段
１９ インバータ制御部
２１ 検出器
２１Ａ 電流検出手段
２１Ｂ 電圧検出手段
２２ 検出器
３０ 減算器
３１ 減算器
３２ 減算器
３３ 減算器
３４ 加算器
４０ 回路
４１ 位相反転回路
４２ 回路
１０２ 交流電源
１０３ コンバータ
１０４ 負荷
１１４ 制御回路
１１８ コンバータ制御部
１２１ 検出器
１２２ 検出器
Ｃ1 コンデンサ
Ｃ2 コンデンサ
【図２】
0005078144.tif 000020
【図３】
0005078144.tif 000021
【図４】
0005078144.tif 000022
【図５】
0005078144.tif 000023
【図６】
0005078144.tif 000024
【図７】
0005078144.tif 000025
【図８】
0005078144.tif 000026
【図９】
0005078144.tif 000027
【図１０】
0005078144.tif 000028
【図１１】
0005078144.tif 000029
【図１２】
0005078144.tif 000030
【図１７】
0005078144.tif 000031
【図１】
0005078144.tif 000032
【図１３】
0005078144.tif 000033
【図１４】
0005078144.tif 000034
【図１５】
0005078144.tif 000035
【図１６】
0005078144.tif 000036